【手続補正書】
【提出日】平成28年6月29日(2016.6.29)
【手続補正１】
【補正対象書類名】明細書
【補正対象項目名】発明の名称
【補正方法】変更
【補正の内容】
【発明の名称】画像形成装置及び用紙後処理装置、並びに画像形成装置の制御方法及び用紙後処理装置の制御方法
【手続補正２】
【補正対象書類名】明細書
【補正対象項目名】０００１
【補正方法】変更
【補正の内容】
【０００１】
本発明は、画像形成処理と用紙後処理に用いられる画像形成装置及び用紙後処理装置、並びにこれらをそれぞれ制御する制御方法に関する。
【手続補正３】
【補正対象書類名】明細書
【補正対象項目名】０００８
【補正方法】変更
【補正の内容】
【０００８】
本発明の目的は、複数の綴じ手段をオンラインとオフラインのいずれかで常時使用することを可能とし、ステイプル処理を行う際の操作性を向上させることを可能とした画像形成装置及び用紙後処理装置、並びに画像形成装置の制御方法及び用紙後処理装置の制御方法を提供することにある。
【手続補正４】
【補正対象書類名】特許請求の範囲
【補正対象項目名】全文
【補正方法】変更
【補正の内容】
【特許請求の範囲】
【請求項１】
用紙に画像形成を行う画像形成装置本体と、前記画像形成装置本体で画像形成された用紙を綴じるステイプル処理を行う用紙後処理装置とを有する画像形成装置であって、
用紙を挿入する用紙挿入部と、
前記画像形成装置本体で画像形成された用紙にステイプル処理を行う通常ステイプル位置と、前記用紙挿入部に挿入された用紙にステイプル処理を行うマニュアルステイプル位置を含む経路に沿って移動可能に設けられた第１の綴じ手段および第２の綴じ手段と、
前記画像形成装置本体で画像形成された用紙を前記第１の綴じ手段と前記第２の綴じ手段のうち一方の綴じ手段により綴じるステイプル処理が選択された場合は、もう一方の綴じ手段を前記マニュアルステイプル位置に移動して待機させる制御手段と、
を備えることを特徴とする画像形成装置。
【請求項２】
前記第１の綴じ手段は、針を用いてステイプル処理を行う手段であり、
前記第２の綴じ手段は、針を用いずにステイプル処理を行う手段であり、
前記制御手段は、前記画像形成装置本体で画像形成された用紙を前記第１の綴じ手段により綴じるステイプル処理が選択された場合は、前記第２の綴じ手段を前記マニュアルステイプル位置に移動して待機させると共に、前記第１の綴じ手段を前記通常ステイプル位置に移動し、
前記画像形成装置本体で画像形成された用紙を前記第２の綴じ手段により綴じるステイプル処理が選択された場合は、前記第１の綴じ手段を前記マニュアルステイプル位置に移動して待機させると共に、前記第２の綴じ手段を前記通常ステイプル位置に移動することを特徴とする請求項１に記載の画像形成装置。
【請求項３】
前記用紙挿入部に対する用紙の挿入を検出する検出手段と、表示手段とを備え、
前記制御手段は、前記検出手段により前記用紙挿入部に対する用紙の挿入が検出された場合で、前記画像形成装置本体で画像形成された用紙のステイプル処理に前記第１の綴じ手段および前記第２の綴じ手段が使用中でない場合は、前記第１の綴じ手段と前記第２の綴じ手段のいずれかを選択可能である旨を前記表示手段により表示し、
前記検出手段により前記用紙挿入部に対する用紙の挿入が検出された場合で、前記画像形成装置本体で画像形成された用紙のステイプル処理に前記第１の綴じ手段または前記第２の綴じ手段が使用中の場合は、使用中でない綴じ手段しか選択できない旨を前記表示手段により表示することを特徴とする請求項１又は２に記載の画像形成装置。
【請求項４】
前記制御手段は、前記用紙挿入部に挿入された用紙へのステイプル処理の実施後に、前記画像形成装置本体で画像形成された用紙へのステイプル処理が実行中の場合は、前記マニュアルステイプル位置にある綴じ手段を前記マニュアルステイプル位置に継続して待機させ、
前記用紙挿入部に挿入された用紙へのステイプル処理の実施後に、前記画像形成装置本体で画像形成された用紙へのステイプル処理が実行中でない場合は、前記マニュアルステイプル位置にある綴じ手段を所定の待機位置に移動して待機させることを特徴とする請求項１又は２に記載の画像形成装置。
【請求項５】
画像形成装置で画像形成された用紙を綴じるステイプル処理を行う用紙後処理装置であって、
用紙を挿入する用紙挿入部と、
前記画像形成装置で画像形成された用紙にステイプル処理を行う通常ステイプル位置と、前記用紙挿入部に挿入された用紙にステイプル処理を行うマニュアルステイプル位置を含む経路に沿って移動可能に設けられた第１の綴じ手段および第２の綴じ手段と、
前記画像形成装置で画像形成された用紙を前記第１の綴じ手段と前記第２の綴じ手段のうち一方の綴じ手段により綴じるステイプル処理が選択された場合は、もう一方の綴じ手段を前記マニュアルステイプル位置に移動して待機させる制御手段と、
を備えることを特徴とする用紙後処理装置。
【請求項６】
前記第１の綴じ手段は、針を用いてステイプル処理を行う手段であり、
前記第２の綴じ手段は、針を用いずにステイプル処理を行う手段であり、
前記制御手段は、前記画像形成装置で画像形成された用紙を前記第１の綴じ手段により綴じるステイプル処理が選択された場合は、前記第２の綴じ手段を前記マニュアルステイプル位置に移動して待機させると共に、前記第１の綴じ手段を前記通常ステイプル位置に移動し、
前記画像形成装置で画像形成された用紙を前記第２の綴じ手段により綴じるステイプル処理が選択された場合は、前記第１の綴じ手段を前記マニュアルステイプル位置に移動して待機させると共に、前記第２の綴じ手段を前記通常ステイプル位置に移動することを特徴とする請求項５に記載の用紙後処理装置。
【請求項７】
前記用紙挿入部に対する用紙の挿入を検出する検出手段と、表示手段とを備え、
前記制御手段は、前記検出手段により前記用紙挿入部に対する用紙の挿入が検出された場合で、前記画像形成装置で画像形成された用紙のステイプル処理に前記第１の綴じ手段および前記第２の綴じ手段が使用中でない場合は、前記第１の綴じ手段と前記第２の綴じ手段のいずれかを選択可能である旨を前記表示手段により表示し、
前記検出手段により前記用紙挿入部に対する用紙の挿入が検出された場合で、前記画像形成装置で画像形成された用紙のステイプル処理に前記第１の綴じ手段または前記第２の綴じ手段が使用中の場合は、使用中でない綴じ手段しか選択できない旨を前記表示手段により表示することを特徴とする請求項５又は６に記載の用紙後処理装置。
【請求項８】
前記制御手段は、前記用紙挿入部に挿入された用紙へのステイプル処理の実施後に、前記画像形成装置で画像形成された用紙へのステイプル処理が実行中の場合は、前記マニュアルステイプル位置にある綴じ手段を前記マニュアルステイプル位置に継続して待機させ、
前記用紙挿入部に挿入された用紙へのステイプル処理の実施後に、前記画像形成装置で画像形成された用紙へのステイプル処理が実行中でない場合は、前記マニュアルステイプル位置にある綴じ手段を所定の待機位置に移動して待機させることを特徴とする請求項５又は６に記載の用紙後処理装置。
【請求項９】
用紙に画像形成を行う画像形成装置本体と、前記画像形成装置本体で画像形成された用紙を綴じるステイプル処理を行う用紙後処理装置とを有すると共に、前記画像形成装置本体で画像形成された用紙にステイプル処理を行う通常ステイプル位置と用紙挿入部に挿入された用紙にステイプル処理を行うマニュアルステイプル位置を含む経路に沿って移動可能に設けられた第１の綴じ手段および第２の綴じ手段を備える画像形成装置の制御方法であって、
前記画像形成装置本体で画像形成された用紙を前記第１の綴じ手段と前記第２の綴じ手段のうち一方の綴じ手段により綴じるステイプル処理が選択された場合は、もう一方の綴じ手段を前記マニュアルステイプル位置に移動して待機させる制御工程、を有することを特徴とする画像形成装置の制御方法。
【請求項１０】
用紙を挿入する用紙挿入部と、画像形成装置で画像形成された用紙にステイプル処理を行う通常ステイプル位置と前記用紙挿入部に挿入された用紙にステイプル処理を行うマニュアルステイプル位置を含む経路に沿って移動可能に設けられた第１の綴じ手段および第２の綴じ手段とを備える用紙後処理装置の制御方法であって、
前記画像形成装置で画像形成された用紙を前記第１の綴じ手段と前記第２の綴じ手段のうち一方の綴じ手段により綴じるステイプル処理が選択された場合は、もう一方の綴じ手段を前記マニュアルステイプル位置に移動して待機させる制御工程、を有することを特徴とする用紙後処理装置の制御方法。